(57)【要約】【課題】本発明は、一般に同軸ケーブルを終端するためのコネクタに関する。より具体的には、本発明は、摩擦力に依存する取り付け方法、及び前記コネクタの機械的性能及び電気的性能を改善する、より強固なケーブルのロック方法を提供する同軸ケーブルコネクタに関する。【解決手段】同軸ケーブルコネクタは、該コネクタ内に軸状のボアを形成する前記環状ポスト、前記ポストに結合された円筒状のコネクタ本体、回転可能に前記ポストに結合されたナット、及び移動可能なように前記コネクタ本体に結合されたスリーブを含んでいる。前記スリーブは、少なくとも１つの半径方向且つ外方に延伸し、且つ、前記スリーブの外面上に形成された隆起部を含んでいる。該隆起部は、前記コネクタ本体の内面と摩擦係合している。本発明の効果として、前記コネクタ本体の内面は、前記コネクタ本体上に形成された凹所又は他の係合構造体を必要としない。【選択図】図１
2007059399.tif 000002
【特許請求の範囲】
【請求項１】
プラスチック材料から成り、内係合面を形成しているスリーブ受容端部を有しているコネクタ本体と、
ロックスリーブであって、該ロックスリーブが第１の位置から第２の位置に移動された場合に、前記コネクタ本体の前記内係合面と摩擦係合するために、前記ロックスリーブの外周面上に形成されている少なくとも1つの突出部を有しているロックスリーブと、
を備えていることを特徴とする同軸ケーブルコネクタ。
【請求項２】
前記コネクタ本体内部に配置されている環状ポストと、
前記ポストに回転可能に結合されているナットと、
をさらに備えていることを特徴とする請求項１に記載の同軸ケーブルコネクタ。
【請求項３】
前記スリーブがプラスチック材料から成ることを特徴とする請求項１に記載の同軸ケーブルコネクタ。
【請求項４】
前記ロックスリーブが、後方ケーブル受容端部と、対向する前方コネクタ挿通端部と、を含み、
前記前方コネクタ挿通端部が、前記スリーブ内に挿通されたケーブルを把持するために、少なくとも１つの屈曲性を有している指状突起部と共に形成されていることを特徴とする請求項１に記載の同軸ケーブルコネクタ。
【請求項５】
前記ロックスリーブが、第１のスリーブ直径を規定している前方突出部と、第２のスリーブ直径を規定している後方突出部と、を含み、
前記第２のスリーブ直径が、前記第１のスリーブ直径よりも大きいことを特徴とする請求項１に記載の同軸ケーブルコネクタ。
【請求項６】
後方受容端部を有しているコネクタ本体と、
前記コネクタ本体内部に配置されている環状ポストであって、
該ポストは、半径方向且つ外方に突出し、前記環状ポストの後方端部に配置されている鉤状部を備えた環状ポストと、
前記コネクタ本体の前記後方スリーブ受容端部内に案内され、且つ、内方に向けられている肩部を有している軸方向に移動可能とされたロックスリーブと、
を備えた同軸ケーブルコネクタであって、
前記スリーブが前記コネクタ本体内の最前方ロック位置に移動された場合には、前記肩部が前記ポスト鉤状部の軸方向前方に位置決めされていることを特徴とする同軸ケーブルコネクタ。
【請求項７】
環状チャンバーが、前記ポスト鉤状部と内方に向けられている前記スリーブの前記肩部との間に形成されており、前記環状チャンバーは、前記スリーブの肩部によって規定されている前方境界及び前記ポスト鉤状部によって規定されている後方境界を有していることを特徴とする請求項６に記載の同軸ケーブルコネクタ。
【請求項８】
前記ポストが、前記第１の鉤状部の前方に配置されている、第２の半径方向且つ外方に突出した鉤状部をさらに含み、
前記スリーブが前記最前方ロック位置に移動された場合に、前記スリーブの前記肩部が、前記第１のポスト鉤状部と前記第２のポスト鉤状部との間で軸方向に位置決めされていることを特徴とする請求項６に記載の同軸ケーブルコネクタ。
【請求項９】
前記ポストが、該ポストの前方端部に配置されているフランジ基部と、前記前方基部と前記後方端部鉤状部との間に配置されている、半径方向且つ外方に突出したコネクタ本体のロック鉤状部と、をさらに含み、
前記ロック鉤状部が前記コネクタ本体の内面と係合し、前記ポストを前記本体に固定していることを特徴とする請求項６に記載の同軸ケーブルコネクタ。
【請求項１０】
前記コネクタ本体が、ロックされた状態で前記ロック鉤状部を受容するために、前記内面に形成されている凹所を含んでいることを特徴とする請求項９に記載の同軸ケーブルコネクタ。
【請求項１１】
後方スリーブ受容端部を有しているコネクタ本体と、
軸方向に移動可能とされ、前記コネクタ本体の前記後方スリーブ受容端部に案内されているロックスリーブと、
前記コネクタ本体内部に配置されている環状ポストであって、
該ポストは、半径方向且つ外方に突出し、前記ポストの後方端部に配置されている第１の鉤状部と、半径方向且つ外方に突出し、前記第１の鉤状部の前方に配置されている第２の鉤状部と、を有している環状ポストと、
を備えている同軸ケーブルコネクタ。
【請求項１２】
前記ポストが、該ポストの前方端部に配置されているフランジ基部と前記前方基部と前記後方端部の鉤状部との間に配置されている、半径方向且つ外方に突出したコネクタ本体のロック鉤状部と、をさらに含み、
前記ロック鉤状部が、前記コネクタ本体の内面と係合し、前記ポストを前記本体に固定していることを特徴とする請求項１１に記載の同軸ケーブルコネクタ。
【請求項１３】
前記コネクタ本体が、ロックされた状態で前記ロック鉤状部を受容するために、前記内面に形成されている凹所を含んでいることを特徴とする請求項１２に記載の同軸ケーブルコネクタ。
【請求項１４】
後方スリーブ受容端部を有しているコネクタ本体と、
軸方向に移動可能とされ、前記コネクタ本体の前記後方スリーブ受容端部に案内されているロックスリーブと、
前記コネクタ本体内部に配置されている環状ポストであって、
該ポストは、半径方向且つ外方に突出し、前記ポストの後方端部に配置されている鉤状部と、前記ポストの前方端部に配置されているフランジ基部と、前記前方基部と前記後方端部の鉤状部との間に配置されている、半径方向且つ外方に突出したコネクタ本体のロック鉤状部と、を有している環状ポストと、
を備え、
前記ロック鉤状部が前記コネクタ本体の内面と係合し、前記ポストを前記本体に固定していることを特徴とする同軸ケーブルコネクタ。
【請求項１５】
前記コネクタ本体が、ロックされた状態で前記ロック鉤状部を受容するために、前記内面に形成されている凹所を含んでいることを特徴とする請求項１４に記載の同軸ケーブルコネクタ。
【発明の詳細な説明】
【技術分野】
【０００１】
［関連出願についての記載］
本出願は、２００５年８月２３日に出願された米国特許仮出願第６０／７１０，７２４号、及び２００６年２月２日に出願された米国特許仮出願第６０／７６４，４５０号明細書の優先権を主張するものである。
【背景技術】
【０００２】
本発明は、一般に同軸ケーブルを終端するためのコネクタに関する。より具体的には、本発明は、摩擦力に依存する取り付け方法、及び前記コネクタの機械的性能及び電気的性能を改善する、より強固なケーブルのロック方法を提供する同軸ケーブルコネクタに関する。
【０００３】
様々な電子装置（例えば、テレビ、ラジオ、それらに類するもの）にケーブルを接続するために同軸ケーブルを終端するようにコネクタを利用することは、長い間知られている。従来の同軸ケーブルは、一般的に絶縁部に囲まれている中心導体を含んでいる。導電性の箔が絶縁部全体に亘り配置されている。さらには、網組み導電性遮蔽材が前記箔でカバーされた絶縁部を囲んでいる。外部絶縁性被覆が前記遮蔽材を囲んでいる。終端するための同軸ケーブルを準備するために、外部被覆が引き剥がされ、網組みの導電性遮蔽材がある程度露出される。露出された導電性遮蔽材は、被覆全体に亘り折り返される。導電性箔によってカバーされている絶縁部の一部は、被覆内部から外方に延伸している。さらには、中心導体はある程度、絶縁部内部から外方に延伸している。そのような準備されたケーブルが従来の同軸コネクタで終端されている。
【０００４】
従来技術の同軸コネクタは、一般に、同軸ケーブルを収容するために環状カラーを有しているコネクタ本体と、コネクタを外部装置に機械的に取り付ける装置を設けるために回転可能にカラーに結合されている環状ナットと、カラーとナットとの間に挿入されている環状ポストと、を含んでいる。同軸ケーブルに組み付ける際に、環状ポストが箔でカバーされた絶縁部とケーブルの導電性遮蔽材との間に挿通される。弾性的な密閉材であるＯリングも、ナットの回転可能とされる結合部でカラーとナットとの間に位置決めされて、前記結合部で防水シール機能を果たす。カラーは、挿通された同軸ケーブルを挿通可能に受容するためにケーブル受容端部を含んでいる。コネクタ本体に対向する端部には、内部にねじ加工された端部を有しているナットを備えており、これにより、本体の外部装置への螺合を可能としている。
【０００５】
このタイプの同軸コネクタは、ロックスリーブをさらに含み、ケーブルを同軸コネクタのコネクタ本体に固定する。ロックスリーブは、一般的に弾性的なプラスチック材から形成されるが、コネクタ本体に同軸コネクタを固定するためにコネクタ本体に固定可能とされている。この点においては、コネクタ本体は、一般的にロックスリーブと協働するように係合する幾つかの構造体形状を含んでいる。そのような構造体は、コネクタ本体の内環状面上に形成された１つ以上の凹所又は戻り止めを含んでいる。前記コネクタ本体は、スリーブの外面上に形成され、且つ、協働する構造体と係合している。このタイプの同軸ケーブルコネクタは、特許文献１に図示され記載されている。
【０００６】
そのような同軸コネクタは、一般に比較的低コストで大量製造されている。これらのコネクタ製造における２つのコスト要因は、組立に必要とされる個々のコネクタ構成部品の複雑性及び材料である。例えば、コストの観点からは、コネクタ構成部品をプラスチックから製造することが望ましい。しかしながら、複雑な構造上の特徴（例えば、係合凹所、戻り止めなど）をコネクタ本体の内径内部に成形することは現実的ではない。そのような特徴は、成形品に開口部を設けることの障害となるからである。この成形上の制限を回避する方法も、コストを要するものである。
【０００７】
従って、改善されたケーブル把持力を有している一方で、単純設計且つ製造容易な構成部品を利用している同軸コネクタを提供することが望ましい。特に、ケーブルが容易にコネクタから引き抜かれないようにするケーブル把持特性を有している同軸コネクタを提供することが望ましい。
【特許文献１】米国特許第６，５３０，８０７号明細書
【発明の開示】
【発明が解決しようとする課題】
【０００８】
本発明の目的は、同軸ケーブルを終端するための同軸ケーブルコネクタを提供することにある。
【０００９】
本発明のさらなる目的は、改善されたケーブル把持力を有している一方で、単純設計且つ製造容易な構成部品を利用している同軸ケーブルコネクタを提供することにある。
【課題を解決するための手段】
【００１０】
前記目的及び他の目的を効果的に得るために、本発明は同軸ケーブルコネクタを提供する。本発明のコネクタは、一般に、前記コネクタ内に軸方向のボアを形成している環状ポストと、前記ポストに回転可能に結合されているナットと、コネクタ本体に移動可能なように結合されているスリーブと、を含んでいる。前記スリーブは、半径方向且つ外方に延伸し、且つ、前記スリーブの外面に形成されている少なくとも１つの隆起部（ridge）を含んでいる。該隆起部は、前記コネクタ本体の内面と摩擦係合されている。その結果として、前記コネクタ本体の内面は、該内面上に形成された凹所又は他の係合構造体を必要としない。
【００１１】
好ましい実施例においては、スリーブ及びコネクタ本体はプラスチックから成り、スリーブは該スリーブ上に形成された複数の隆起部を含んでいる。各隆起部が後方に面している垂直壁及び前方に面している面取壁によって形成されていることがさらに望ましい。
【００１２】
隆起部は、２つの軸方向に離隔された前方隆起部と２つの軸方向に離隔された後方隆起部とに分類される。前方隆起部は第１の直径を有し、後方隆起部は第２の直径を有している。該第２の直径は、前記第１の直径よりも僅かに大きいので、前記スリーブを前記本体に完全に挿通した際には締り嵌めとなり、より大きな把持力が発生する。また、最後方ロック隆起部及び当接面は、スリーブのフランジヘッド部に隣接して設けられ、スリーブをコネクタ本体にロックする力を高める。
【００１３】
スリーブの前方端部は、前記コネクタに挿通されたケーブルを把持するために、前方方向に延伸し、且つ、屈曲性を有する（flexible）複数の指状突起部（fingers）と共に形成されていることがさらに望ましい。スリーブを本体に挿通している際には、コネクタ本体の内傾斜部によって、半径方向且つ内方に変形させる力が指状突起部に作用する。
【００１４】
ケーブル把持力をさらに高めるためには、本発明の同軸ケーブルコネクタは、後方スリーブ受容端部と、コネクタ本体内部に配置されている環状ポストと、前記コネクタ本体の後方スリーブ受容端部に案内され、軸方向に移動可能とされたロックスリーブと、を有しているコネクタ本体を含んでいることがさらに望ましい。前記ポストは、前記ポストの後方端部に配置されている、半径方向且つ外方に突出した鉤状部を有している。さらには、ロックスリーブは、内方に向けられている肩部を有している。スリーブが前記コネクタ本体における最前方のロック位置に移動された場合には、該肩部は前記ポスト鉤状部の軸方向前方に位置決めされている。
【００１５】
従って、環状チャンバーは、前記ポスト鉤状部と前記内方に向けられているスリーブの肩部との間に形成されている。環状チャンバーは、スリーブの肩部によって規定される前方境界とポスト鉤状部によって規定される後方境界を有している。
【００１６】
ポストは、第１の鉤状部の前方に配置されている、第２の半径方向且つ外方に突出した鉤状部を含んでいることがさらに望ましい。従って、スリーブが最前方のロック位置に移動された場合には、スリーブの肩部は、第１のポスト鉤状部と第２のポスト鉤状部との間に軸方向に位置決めされている。
【００１７】
ポストは、ポスト前方端部に配置されているフランジ基部と、前方基部と後方端部の鉤状部との間に配置され、半径方向且つ外方に突出したコネクタ本体のロック鉤状部と、を含んでいることがさらに望ましい。ロック鉤状部は、ポストを前記本体に固定するために、コネクタ本体の内面と係合している。この点においては、コネクタ本体は、ポストをロックする鉤状部を固定した状態で受容するために、コネクタ本体内に形成されている凹所を含んでいることが望ましい。
【００１８】
本発明の他の実施例、特徴、及び優位性と共に、本発明の同軸コネクタの好ましい形態は、添付図面と併せて読むことにより、本明細書に図示された実施例の以下に詳述された説明から明らかであることに留意すべきである。
【発明を実施するための最良の形態】
【００１９】
本発明は、同軸ケーブルを終端するためのコネクタに関する。このタイプの同軸コネクタは、特許文献１に表わされ記載されている。特許文献１の内容は、参照により本明細書に組み込まれている。
【００２０】
図１及び図２は、本発明の同軸ケーブルコネクタ１０を表わしている。コネクタ１０は、一般的に４つの構成要素、すなわち、コネクタ本体１２（カラーと呼ぶ場合もある）、環状ポスト１４、回転可能なナット１６、及び移動可能とされるロックスリーブ１８を含んでいる。しかしながら、コネクタ本体１２及びポスト１４は、一構成要素として一体化されることが可能であり、及び／又は、回転可能なナット１６以外の他の固定手段が利用される場合もある。また、以下に詳細に説明するように、弾性的な密封部材であるＯリング３４は、回転可能なナットの接合部でコネクタ本体１２、ポスト１４、及びナット１６との間に位置決めされて、前記接合部で防水シール機能を果たす。
【００２１】
コネクタ本体１２は、細長い略円筒状部材とされる。該略円筒状部材は、プラスチック材料から成ることが望ましい。その製造コストを最小限に抑えるためである。代替的に、コネクタ本体１２は、金属又はそれに類する材料から成る。コネクタ本体１２は、ポスト１４及びナット１６に結合されている一端部２０と、挿通可能にスリーブ１８を受容するための、対向するスリーブ受容端部２２と、を有している。スリーブ１８と摩擦係合するために、スリーブ受容端部２３は内部係合面２３を形成している。このことは、以下にさらに詳細に説明されている。
【００２２】
環状ポスト１４は、フランジ基部２４及び拡幅肩部２５を含んでいる。前記フランジ基部は、ナット１６内のポスト受容空間に回転可能に案内されている。前記拡幅肩部は、カラー１２内部のポストの圧入固定のために設けられている。環状ポスト１４は、環状且つ管状の延伸部２６をさらに含んでいる。該延伸部は、コネクタ本体１２内部で後方に延伸し、スリーブ１８内部に至っている。管状延伸部２６の後方端部は、半径方向且つ外方に延伸している傾斜フランジ部又は“鉤状部（barb）”２８を含んでいることが望ましい。前記ボディの内径に抗して前記同軸ケーブルの外側の被膜を圧縮し、前記コネクタ内部で前記ケーブルを固定するために、前記傾斜フランジ部は、前方に面している縁部２９を有している。代替的に、及び／またはポスト１４を形成する方法に応じて、鋭縁部２９を有しているのとは対照的に、鉤状部２８は一層丸みを持った形状とされている。いずれにしても、下記にさらに詳細に説明するように、ポスト１４の延伸部２６、コネクタ本体１２、及びスリーブ１８は、挿通された同軸ケーブルの被覆部及びシールド部を収容するための環状チャンバー３０を形成している。
【００２３】
ナット１６は、いかなる形状（例えば、六角ナット、ローレットナット、蝶ナット、又は任意の他の取付手段）でも良い。そして、ナット１６は、コネクタ１０を外部装置に機械的に取付可能とするために、ポスト１４に回転可能に結合されている。ナット１６は、内部に送りネジが設けられている延伸部３２を含んでいる。該延伸部は、コネクタ１０の外部装置に対する螺合装置となる。弾性的な密封部材であるＯリング３４は、ナットの回転可能な結合部でコネクタ本体１２、ポスト１４及びナット１６の間に位置決めされて、前記結合部で防水機能を発揮する。
【００２４】
図３Ａ及び図３Ｂを参照すると、ロックスリーブ１８は、後方ケーブル受容端部３６及び対向する前方コネクタ挿通端部３８を有している略管状部材とされる。前記前方コネクタ挿通端部は、コネクタ本体１２の内面２３に移動可能なように結合されている。下記にさらに詳細に説明するように、スリーブ１８の円筒状外面が、複数の隆起部又は突出部４０を含んでいる。前記外面は、スリーブが図１及び図２の矢印Ａの方向に沿って（すなわち、図１に示す第１の位置からナット１６に向かって）軸方向に移動可能とされるようにスリーブ１８のコネクタ本体１２に対して移動可能とする接続を実現し、且つ、前記コネクタ内部に前記ケーブルを固定する図２に示す第２の位置のさらに前方にコネクタ１０の内部でケーブル６０を緩く保持している。
【００２５】
少なくとも１つの半径方向且つ外方に延伸している隆起部又は突出部４０は、スリーブ１８の円筒状外面に形成されて、後方ケーブル受容端部３６と前方挿通端部３８との間にある。スリーブ１８とカラー１２の内面２３との間に発生する把持力を増加させるために、複数の隆起部４０が前記スリーブに設けられていることが望ましい。各隆起部４０は、後方に面している垂直壁４４及び前方に面している面取壁４６によって形成されていることがさらに望ましい。この構造によって、矢印Ａの方向において、スリーブ１８を本体１２内部に向かって前方に挿通することが可能となる。さらには、前記本体からスリーブを後方に引く抜くことに対する抵抗となる。
【００２６】
好ましい実施例においては、スリーブ１８は、軸方向に離隔され、且つ、第１の直径を有している２つの前方隆起部４０ａと、軸方向に離隔され、且つ、第２の直径を有している後方隆起部とを含んでいる。第２の直径は、第１の直径よりも僅かに大きい。前方隆起部４０ａの第１の直径は、本体１２のスリーブ受容端部２２の内径よりも僅かに大きいので、図１に表わすように、第１の位置において前記本体にスリーブ１８を挿通する際には締り嵌めとなる。２つの前方隆起部４０ａの第１の直径は、第１の位置において本体１２の内面２３における直径よりも小さく、該内面と係合している。前方隆起部４０ａの第１の直径によって、締り嵌めが実現されて、スリーブ１８が搬送中所定の位置に保持される。さらには、取り付ける必要がある場合には、手動操作により前記スリーブを引抜いて再挿通することも可能となる。２つの後方隆起部４０ｂの第２の直径は、前方隆起部４０ａの第１の直径よりも僅かに大きい。このことにより、スリーブが不注意で所定時期よりも早く（prematurely）カラー内に押し込まれることを防止する。さらには、前記スリーブが閉位置にある場合には、スリーブ１８と本体１２との締り嵌めがより大きな保持力をもたらす。
【００２７】
さらには、本発明の隆起部又は突出部４０は、他の形状でも良い。例えば、各隆起部４０が図面に表わされているように、ロックスリーブ１８の外周部周辺で連続的とされても良い。その一方で、前記隆起部の屈曲性を増すために、1つ以上の隆起部内に空隙又は空間を形成しても良い。また、一の隆起部を他の隆起部よりも幾分屈曲性を有しているように設計しても良い。
【００２８】
ロックスリーブ１８は、該スリーブの後方ケーブル受容端部３６に配置されているフランジヘッド部４８をさらに含んでいることが望ましい。ヘッド部４８は、本体１２の内径よりも大きい外径を有し、前方に面している垂直壁５０を含んでいる。本体１２の後方端部がスリーブ１８の本体１２へのさらなる挿通を防止するような当接面として、前記垂直壁は機能している。スリーブ１８と本体１２との間に付加的な把持強さを備えるために、前方に面している面取り壁４６を有している最後方ロック隆起部４０ｃをもヘッド部４８に隣接して設けることができる。
【００２９】
スリーブ１８の前方端部３８は、屈曲性を有し、且つ、前方方向に延伸している複数の指状突起部５２と共に形成されていることがさらに望ましい。以下にさらに詳細に説明されているように、スリーブ１８が前記本体に挿入される際には、コネクタ本体１２の内部傾斜部５４によって、半径方向且つ内方に変形させる力が、これらの指状突起部５２に作用する。指状突起部５２が内方に曲げられた場合には、該指状突起部がケーブル６０の外部被覆と係合し、コネクタ１０内部におけるケーブルの把持力を高めることができる。スリーブ１８の前端部に長手方向のスロット又は凹所を設けることによって、指状突起部５２は単純に形成され得る。前記スリーブにおいては、指状突起部５２の屈曲性を高めるために、横方向の溝（図示しない）をも設けることができる。
【００３０】
さらには、指状突起部５２は、縮径端部５３を含むことにより、比較的鋭い縁部を形成する。コネクタ本体１２の内部傾斜部５４によって指状突起部５２が変形された場合には、鋭縁部５３がケーブル６０に食い込むことにより、より大きな把持力を発揮し、さらには前記ケーブルが前記コネクタから引き抜かれることを防止する。
【００３１】
本発明のコネクタ１０は、図１に表わす組立状態で供給されるように構成されている。前記組立状態においては、スリーブ１８の前方隆起部４０ａは、本体１２の内面に係合して、第１の位置にスリーブを固定している。そのような組立状態においては、本明細書の下記においてさらに詳細に説明するように、同軸ケーブル６０はスリーブ１８の後方ケーブル受容端部３６を通じて挿通されている。従って、スリーブ１８は、第１の位置から移動されて、第２の位置で前記ケーブルを緩く保持している。前記第２の位置は、軸方向前方にある。これにより、前記コネクタ内部でケーブルをロックすることが可能となる。
【００３２】
しかしながら、スリーブ１８は、コネクタ１０の後部から前記本体と分離した状態で設けられている。本明細書の下記においてさらに詳細に説明するように、前記コネクタによって、同軸ケーブル６０がスリーブ１８によって阻害されないポスト１４に最初に直接挿通可能となる。その後、初期にスリーブ１８はケーブル６０の周囲に設置され、コネクタ本体１２に取り付けられる。該コネクタ本体は、第１の位置から移動され、前記コネクタ内部で前記ケーブルをロックする第２の位置に至る。
【００３３】
コネクタ１０の構成部品を詳細に説明する。同軸ケーブルを終端する際におけるコネクタの利用については、図２に関連して説明されている。同軸ケーブル６０は、銅又はそれに類する導電性材料から形成される内部導体６２を含んでいる。絶縁部６４（絶縁プラスチックから形成されていることが望ましい）は、内部導体６２の周囲を延伸している。金属箔６６は、絶縁部６４上に配置されている。さらには、金属性遮蔽材６８は、前記金属箔でカバーされた絶縁部の周囲を取り囲むように位置決めされている。外部絶縁性被覆７０は、金属性遮蔽材６８をカバーしている。
【００３４】
ケーブル６０は、被覆７０を剥いで遮蔽材６８の延伸部を露出させる従来形式の終端方法で準備されている。絶縁部６４をカバーする一部の箔は、絶縁部６４から延伸している導体６２の延伸部と共に、前記絶縁部から延伸している。遮蔽材６８の延伸端部が被覆７０の周囲に折り畳まれた後、スリーブ１８が既に本体１２に結合された状態で、図１に表わすように、ケーブル６０はコネクタ１０に挿通される。この手法においては、準備されたケーブル６０は、スリーブ１８の後方端部３６を通じて挿通されている。さらには、ポスト１４の延伸部２６は、絶縁部６４をカバーしている前記箔と金属性遮蔽材６８との間に挿通されているので、前記遮蔽材及び被覆７０は、ポスト１４とスリーブ１８との間に形成されている環状領域３０内にある。図１に表わすように、スリーブ１８が第１の位置で本体１２に結合されている場合には、十分な間隙が前記スリーブとポスト１４との間に設けられるので、管状ポストの延伸部２６は容易に絶縁部６４とケーブル６０の遮蔽材６８との間に挿入される。
【００３５】
一旦ケーブル６０が適切に挿通された場合には、矢印Ａの方向において、スリーブ１８が軸方向前方に第１の位置（図１に表わす）から第２の位置（図２に表わす）に移動される。スリーブ１８が軸方向前方に移動された場合には、前記スリーブの外面上に形成され、且つ、より大きな直径を有している後方隆起部４０ｂは、本体１２と摩擦係合し前記本体内部で前記スリーブを固定している。前方に面している隆起部４０の面取り壁４６によって、そのような移動が容易に実現される。スリーブヘッド部４８の前方に面している当接面５０が本体１２の後方端部と係合するまで、スリーブ１８は軸方向前方に移動される。適切な圧縮工具を利用して、第１の位置から第２の位置までスリーブ１８の移動を実現することにより、ケーブル６０をコネクタ１０に固定することができる。
【００３６】
特定の組立配置においては、ケーブル６０を終端する場合に、組立者は明白且つ便利な手段を有しないことがある。従って、コネクタ本体１２に接続されている場合には、前記組立者がスリーブ１８のケーブル受容端部３６を通じてケーブル６０を無分別に挿通することは困難である。そのような状況においては、本発明は、分離可能なようにスリーブ１８を本体１２から取り外すことによって、ケーブル６０が直接的にポスト１４の管状延伸部２６に接続可能とされることを意図するものである。
【００３７】
前記状況においては、上述のように実施することにより、スリーブ１８が分離可能なように本体１２から取り外される。従って、スリーブ１８は、ケーブル６０上をケーブルの長さ方向に沿って都合の良い位置に向かって滑動する。その結果、絶縁部６４をカバーしている前記箔の端部が、直接的にポスト延伸部２６に挿通されるので、前記延伸部が絶縁部６４をカバーしている前記箔と遮蔽材６８との間に挿入される。従って、スリーブ１８がケーブル６０に沿って止まって、前記スリーブの前方挿通端部３８が本体１２のスリーブ受容端部２２に挿通され得る。従って、上述のように、スリーブ１８は第１の位置（図１に表わす）から第２の位置（図２に表わす）に移動され得る。
【００３８】
一方の場合においては、スリーブ１８がこの第２の位置に移動する際に、ポスト１４の鉤状部２８とスリーブ１８の内面との間の環状領域３０内で、ケーブル６０の被覆７０及び遮蔽材６８が圧縮された状態で固定され始める。この点においては、内方に向いている肩部４９がスリーブ１８の内面に設けられていることが望ましい。これにより、ポスト１４の鉤状部２８に抗してケーブル被覆７０を圧縮することができる。また、スリーブ１８が第２の位置に移動する際に、スリーブの指状突起部５２がコネクタ本体に形成された傾斜部５４によって内方に押されて、さらにケーブル被覆７０と係合する。
【００３９】
スリーブ１８が第２の位置（すなわち、閉位置）にある場合には、図２に表わすように、すべての隆起部４０がコネクタ本体１２の内面と係合して、前記スリーブが容易に組立体１０から取り外されることを防止する。次に、これらの隆起部４０は冗長的な密封部となり、水又は他の混入物質がコネクタ組立体１０に進入することを防止する。この特徴によって、Ｏリングを別途利用することが不要となり、さらには前記コネクタの製造コストを低減することができる。
【００４０】
さらにケーブル６０のロック力を高めるためには、本発明のコネクタ１０ａが、図４乃至図７に表わすような付加的なケーブル把持特性を備えていることが望ましい。特に、図４乃至図７に表わすコネクタ１０ａのロックスリーブ１８ａは、内方に向けられた肩部４９ａを含んでいる。該肩部の位置は、図１及び図２に表わす肩部の位置と比較して前方に移動されている。より詳しくは、前記スリーブが閉位置にある場合には、図４乃至図７に表わすスリーブ１８ａの内方に向けられた肩部４９ａは、前記鉤状部と共に位置合せされず、前記ポスト鉤状部２８の前方に位置決めされている。
【００４１】
結果として、環状チャンバー７２が、前記ポスト鉤状部とスリーブ１８ａの前記内方に向けられた肩部４９ａとの間に形成されて、前記挿通された同軸ケーブルの被覆及び遮蔽材を収容することができる。肩部４９ａが前記ポスト鉤状部２８と関連してこの前方に載置されていることによって、前記ケーブルの圧縮固定が容易に実現され、且つ、前記ケーブルの後方移動を防止する。この配置が前方の閉位置におけるスリーブ１８ａのロックを促進させることにより、前記スリーブがカラー１２ａから外れることを防止する。特に、任意のスリーブ１８ａの後方移動によってのみ、内方に向けられた肩部４９ａがさらにポスト鉤状部２８の鋭縁部２９に抗して前記ケーブルを圧縮し、前記ケーブルがさらに移動しないようにする。
【００４２】
好ましい実施例においては、ポスト１４ａは、後方端部の鉤状部２８の前方に配置されている第２の環状ケーブル保持鉤状部７４をさらに含んでいる。ロックスリーブ１８ａが閉位置にある場合には、前記スリーブの内方に向けられた肩部４９ａが後方端部の鉤状部２８と第２の鉤状部７４との間に配置される。第１の鉤状部２８と同様に、第２の鉤状部７４は、前方に面している縁部７５を有しているポスト１４ａにおける略環状で半径方向且つ外方に延伸している傾斜フランジ部とされる。同軸ケーブルの外部被覆を圧縮しコネクタ１０ａ内部で前記ケーブルを固定するためである。第２の鉤状部７４は、前記コネクタ内部の信号の電磁的絶縁機能又は電磁的遮蔽機能と、前記ケーブルの機械的保持機能と、を共に改善する。
【００４３】
第３の鉤状部７６はコネクタ本体をロックする鉤状部であるが、コネクタ本体１２ａに前記ポストを固定するために、ポスト１４ａ上に設けられていることも望ましい。ロック鉤状部７６は、後方端部の鉤状部２８と前方フランジ基部２４との間でポスト１４ａ上に位置決めされている。この場合も前述と同様に、ロック鉤状部７６は、前方に面している縁部７７を有しているポスト１４ａにおける略環状で半径方向且つ外方に延伸している傾斜フランジ部である。しかしながら、この場合においては、ロック鉤状部７６の縁部７７はコネクタ本体１２ａと係合し、ポスト１４ａがコネクタ本体１２ａに対して軸方向前方へ移動することを防止する。コネクタ本体１２ａは、ロック鉤状部７６を受容するために直径内面に形成された環状凹所７８を含んでいることが望ましい。凹所７８は、鉤状部７６の縁部７７と係合し、且つ、ポスト１４ａが軸方向前方に移動することを防止することにより、前記ポストをカラー１２ａにロックするために、後方に面している壁８０を含んでいる。
【００４４】
カラー１２ａ及びポスト１４ａを構成するプラスチック材料の強度が前記カラー及び前記ポストの締り嵌めにより限定されるので、上述のような構成が望ましい。第３の鉤状部７６は圧入領域の外側に正確に設けられ、ポスト１４ａ及びカラー１２ａの適切且つ同心状とされる位置合わせを確実に実現する。鉤状部７６の傾斜部によっても、ポスト１４ａをカラー１２ａに容易に挿通することが実現される。
【００４５】
摩擦係合突出部４０がスリーブ１８ａ上に設けられている代替的な実施例が、図４乃至図７に表わされる。特に、図４乃至図７に表わすスリーブ１８ａは、突出部４０ｄを含んでいる。該突出部は軸方向に伸び、前記突出部とコネクタ本体１２ａの内係合面との間の接触面の面積を増大させている。突出部４０ｄの大きくなった接触面積もまた、前記プラスチック材料に作用する応力を低減する。
【００４６】
従って、本発明の効果として、前記コネクタ本体の内面に係合構造体を形成することを必要とせず、プラスチックのコネクタ本体１２ａを利用することが可能となる。その代わりに、本発明は、摩擦力に依存する本体１２にスリーブ１８を取り付ける方法を提供するものである。さらには、ケーブル６０は、３つの圧力点によって、組立作業中に前記コネクタから容易に引き抜かれないように保護されている。前記３つの圧力点とは、ａ）本体１２の内面に抗して摩擦係合されている隆起部４０、ｂ）屈曲され、且つ、前記本体の内傾斜面５４によって前記ケーブルに圧力を作用させている指状突起部５２、及びｃ）前記ポスト鉤状部２８とスリーブ１８の内面４９との間で圧縮されているケーブル被覆である。
【００４７】
本発明の図示された実施例は添付図面を参照して本明細書で説明されているが、本発明が正確な実施例に限定されないことに留意すべきである。さらには、本発明の技術的範囲及び技術的思想から逸脱しない限り、様々な他の変化及び変更が当業者によって実施可能であることにも留意すべきである。
【００４８】
先に説明及び図示された構造体に様々な変化を加えることは、当業者にとって自明である。従って、本発明の詳細に開示された技術的範囲は、特許請求の範囲に表わされている。
【図面の簡単な説明】
【００４９】
【図１】開位置における、本発明の同軸ケーブルコネクタの断面図である。
【図２】ケーブルがコネクタに固定された状態の閉位置における、図１に表わされたコネクタの断面図である。
【図３Ａ】本発明の同軸ケーブルコネクタのスリーブ要素の斜視図である。
【図３Ｂ】本発明の同軸ケーブルコネクタのスリーブ要素の斜視図である。
【図４】閉位置における、本発明の同軸ケーブルコネクタの好ましい実施例の断面図である。
【図５】ケーブルがコネクタに固定された状態の開位置における、図４に表わされたコネクタの断面図である。
【図６】ケーブルがコネクタに固定された状態の閉位置における、図４に表わされたコネクタの断面図である。
【図７】図４に表わされたコネクタの分解斜視図である。
【符号の説明】
【００５０】
１０  同軸ケーブルコネクタ
１２  コネクタ本体
１４  環状ポスト
１６  ナット
１８  スリーブ
２０  端部
２４  フランジ基部
２５  肩部
２８  鉤状部（傾斜フランジ部）
２９  縁部
３０  環状領域
３４  Ｏリング
４０ａ  隆起部
４０ｂ  隆起部
４０ｃ  隆起部
４４  垂直壁
４６  面取壁
４８  フランジヘッド部
５０  垂直壁
５２  指状突起部
６０  同軸ケーブル
６２  内部導体
６４  絶縁部
６６  金属箔
６８  金属性遮蔽材
７０  外部絶縁性被覆
【図１】
2007059399.tif 000003
【図２】
2007059399.tif 000004
【図３Ａ】
2007059399.tif 000005
【図３Ｂ】
2007059399.tif 000006
【図４】
2007059399.tif 000007
【図５】
2007059399.tif 000008
【図６】
2007059399.tif 000009
【図７】
2007059399.tif 000010
【外国語明細書】
2007059399.tif 000011
2007059399.tif 000012
2007059399.tif 000013
2007059399.tif 000014
2007059399.tif 000015
2007059399.tif 000016
2007059399.tif 000017
2007059399.tif 000018
2007059399.tif 000019
2007059399.tif 000020
2007059399.tif 000021
2007059399.tif 000022
2007059399.tif 000023
2007059399.tif 000024
2007059399.tif 000025
2007059399.tif 000026
2007059399.tif 000027
2007059399.tif 000028
2007059399.tif 000029
2007059399.tif 000030
2007059399.tif 000031
2007059399.tif 000032
2007059399.tif 000033
2007059399.tif 000034